(57)【特許請求の範囲】
【請求項１】
複数の通信パスが多重される通信回線を介して互いにリング状に接続される複数のノードをそれぞれ備える複数のリングネットワークを具備するネットワークシステムの前記複数のノードのいずれかに接続され、ユーザ操作に応じて前記通信回線を介して前記複数のノードから管理情報を取得する機能と、表示器とを有する作業者用端末装置を用いる通信パス設定方法であって、
自装置が接続されるノードが属するリングネットワークにおける各ノードの間の区間に対応付けて前記表示器の画面を複数の領域に区分けし、前記区間に存在する通信パスにそれぞれ対応付けられた矢印を前記区分けされた領域に表示する準備ステップと、
設定すべき通信パスの始点となるノードの低速側チャネルを指定する第１のステップと、
設定すべき通信パスの終点となるノードの低速側チャネルを指定する第２のステップと、
前記第１および第２のステップで指定されたノード区間に対応する表示領域に、設定すべき通信パスに対応付けられた矢印を表示する第３のステップと、
他に設定すべき通信パスがある場合は、前記第１乃至第３のステップを繰り返す第４のステップと、
前記設定すべき通信パスに対応付けられた矢印に対応する通信パスの設定要求を、当該通信パスの形成に関係するノードに送出する第５のステップと、
通信パスの設定要求を受けたノードが、当該要求に基づいて新たな通信パスを形成する第６のステップとを具備し、
前記準備ステップは、前記取得された管理情報に基づいて現時点のパス設定状態を前記表示器の画面の表示内容に反映させるステップであることを特徴とする通信パス設定方法。
【請求項２】
前記第１および第２のステップは、ノードの低速側のチャネルの指定に加えて、設定すべき通信パスのコンカチネーションの種別の指定も行うステップであることを特徴とする請求項１に記載の通信パス設定方法。
【請求項３】
設定すべき通信パスがデュアルホーミングパスである場合に、
さらに、設定すべき通信パスの中間ドロップ点となるノードの低速側チャネルを指定する第７のステップを備え、
前記第１、第２および第７のステップは、ノードの低速側のチャネルの指定に加えてノード種別の設定も行うステップであることを特徴とする請求項１に記載の通信パス設定方法。
【請求項４】
前記通信回線が、現用系回線と予備系回線とを備え、
前記複数のリングネットワークが、前記現用系回線を介して伝送されるサービストラフィックを前記予備系回線に迂回させるトラフィック迂回手段をそれぞれ備える場合に、
前記第６のステップは、
通信パスの設定要求を受けたノードが自装置のトラフィック迂回手段をロックする第８のステップと、
この第８のステップが完了した後、通信パスの設定要求に基づく新たな通信パスを形成する第９のステップと、
この第９のステップが完了した後、前記トラフィック迂回手段のロックを解除する第１０のステップとを備えることを特徴とする請求項１に記載の通信パス設定方法。
【発明の詳細な説明】
【０００１】
【発明の属する技術分野】
本発明は、例えば光海底ケーブルシステムなどの情報伝送システムで利用される作業者用端末装置の表示器の画面を用いて実施される通信パスの設定方法に関する。
【０００２】
【従来の技術】
一般に、伝送システムには、通信データを伝送するノードと、通信ネットワークに対してＯＡＭ（Operations，Administration and Maintenance）サービスを提供する監視制御装置とが設けられる。これに加えて近年では、持ち運びでき、ノードの簡単な設定保守などの処理を手軽に行える端末装置（以下、作業者用端末装置と称する）を設けることが多くなっている。
【０００３】
ところで、近年になり、ネットワークの世界規模での広がりによりネットワークを構成する機器の数が増え、これに伴って監視制御対象（ノードなど）の数が多くなっている。このため監視制御装置ではもちろんのこと、作業者用端末装置でもオペレーションの煩雑化および高度化が甚だしくなり、運用者の負担が大きくなっている。
【０００４】
【発明が解決しようとする課題】
以上のように近年の伝送システムでは、監視制御装置や作業者用端末装置におけるオペレーションの煩雑化、高度化が甚だしくなっており、何らかの解決策を提供することが望まれている。
【０００５】
本発明は上記事情によりなされたもので、その目的は、ヒューマンマシンインタフェースを改善し、運用上の便宜の向上を図り得る通信パス設定方法を提供することにある。
【０００６】
【課題を解決するための手段】
上記目的を達成するために本発明に係わる通信パス設定方法は、複数の通信パスが多重される通信回線を介して互いにリング状に接続される複数のノードをそれぞれ備える複数のリングネットワークを具備するネットワークシステムに備えられ表示器を有する作業者用端末装置を用いる通信パス設定方法であって、自装置が接続されるノードが属するリングネットワークにおける各ノードの間の区間に対応付けて前記表示器の画面を複数の領域に区分けし、前記区間に存在する通信パスにそれぞれ対応付けられた矢印を前記区分けされた領域に表示する準備ステップと、設定すべき通信パスの始点となるノードの低速側チャネルを指定する第１のステップと、設定すべき通信パスの終点となるノードの低速側チャネルを指定する第２のステップと、前記第１および第２のステップで指定されたノード区間に対応する表示領域に、設定すべき通信パスに対応付けられた矢印を表示する第３のステップと、他に設定すべき通信パスがある場合は、前記第１乃至第３のステップを繰り返す第４のステップと、前記設定すべき通信パスに対応付けられた矢印に対応する通信パスの設定要求を、当該通信パスの形成に関係するノードに送出する第５のステップと、通信パスの設定要求を受けたノードが、当該要求に基づいて新たな通信パスを形成する第６のステップとを具備することを特徴とする。このようにすると、作業者用端末装置の表示画面を用いてパスの設定作業を直感的に行うことができるため、ユーザインタフェースが向上され、ユーザにとっての便宜を向上させることが可能になる。
【０００７】
【発明の実施の形態】
以下、図面を参照して本発明の実施の形態を詳細に説明する。
図１は、本発明の実施の形態に係わる作業者用端末装置が設置される伝送システムのシステム構成図である。図１において、複数の局舎（Station）ＳＴ−１〜ＳＴ−ｍに複数のノード（ＮＯＤＥ）１−１〜１−ｎがそれぞれ設置される。ノード１−１〜１−ｎは、高速回線ＯＬを介して互いにリング状に接続され、複数のリングネットワークが形成される。すなわちｎ個のリングネットワークが存在し、各リングネットワークは、それぞれノード１−１，１−２，…，１−ｎをｍ個備えて形成される。
【０００８】
上記高速回線ＯＬは、例えばＳＴＭ−６４（Synchronous Transfer Module-level 64：１０Ｇｂｐｓに相当）クラスの伝送容量を有した同期多重回線として実現される。個々のリングネットワークを形成する高速回線ＯＬは、光信号を伝送する。この光信号の波長は、リングネットワークごとに互いに異なり、これらの波長の光信号が波長多重されて波長多重回線ＦＬが形成される。
【０００９】
各局舎ＳＴ−１〜ＳＴ−ｍにおけるノード１−１〜１−ｎは、各局舎内においてそれぞれ局舎内監視制御装置（ＳＳＥ）２に接続される。ＳＳＥ２は、さらにＬＡＮを介して網内全域に渡る監視制御を担う監視制御装置（Ｕ−ＮＭＥ）３に接続される。また上記ＬＡＮにはルータ４が接続され、このルータ４を介して各局舎のＵ−ＮＭＥ３同志を結ぶ監視制御用回線ＭＬが形成される。なお図１に示される監視制御用回線ＭＬは便宜的に表示したもので、論理的には波長多重回線ＦＬを介して伝送されるＳＤＨフレームのＳＯＨ（Section Over Head ）に設けられたＤＣＣ（Data Communication Channel）などとして実現される。
【００１０】
このほか上記システムは、本発明に係わる作業者用端末装置（以下Terminalと表記する）５を備える。Terminal５は任意のノード１−１〜１−ｎに接続して使用されるもので、図１ではＳＴ―２のＮＯＤＥ１−ｎに接続されている。Terminal５は例えば個々のＮＯＤＥの立ち上げ時にその補助などのために使用されることが多く、目的を果たした後は取り外してもよい。また各種設定や情報の取得などの必要に応じて取り付けることもでき、その作業は簡便なものである。要するにTerminal５は、簡易型、または過般型の監視制御装置としての位置付けにある。
【００１１】
なおTerminal５は、接続されたノードが属するリングネットワークをその監視制御対象とする。図１では、ＮＯＤＥ１−ｎ同士で張られたリングネットワークが制御の対象となる。この点でネットワークシステム全体を対象とするＵ−ＮＭＥ３と区別される。
【００１２】
図２は、本発明に係わるTerminal５の構成を示すブロック図である。Terminal５は、メモリモジュール３１、プロセッサモジュール３２、ブリッジ３３、ＳＣＳＩ（スカジー）コントローラ３４、ＨＤ（ハードディスクドライブ）３５、グラフィックコントローラ３７、インタフェースコントローラ３８、バスコントローラ３９、ＦＤＤ（フロッピーディスクドライブ）３１０、インタフェース（Ｉ／Ｆ）３１１、ディスプレイインタフェース（Ｉ／Ｆ）３１２、ＮＯＤＥ１（１−１〜１−ｎ）との接続インタフェースとなる外部インタフェース（Ｉ／Ｆ）３１３、ディスプレイ３１５、キーボードおよびマウスなどの入力装置３１９、サウンドコントローラ３２０、ブザーインタフェース（Ｉ／Ｆ）３２１、ブザー３２２を備えている。
【００１３】
このうち本発明思想に大きく係わるものは、ディスプレイ３１５、キーボード・マウス３１９、ブザー３２２などからなるヒューマンマシンインタフェースユニットである。
【００１４】
以下に説明する各機能は、主としてプロセッサモジュール３２により実行される制御プログラムに、例えばパッチを当てることにより新たに実装されるものである。この制御プログラムは専用の言語で記述され、メモリモジュール３１、ＨＤ３５などに記憶される。
【００１５】
なお以下の説明では、便宜上、システム全体として３２個のリングネットワークを備え、かつ各リングネットワークごとに７つのＮＯＤＥを備えるものとする。すなわち図１においてｎ＝３２、ｍ＝７に相当する。
【００１６】
（Network Alarm Summary Display）
図３は、Terminal５のディスプレイ３１５の主画面を示す図である。この画面は、Terminal５を立ち上げると表示される画面で、“Network Alarm Summary Display”と称されるウインドウである。このほか様々なウインドウがディスプレイ３１５に表示されるが、図３のウインドウは各種ウインドウの背景に表示される。
【００１７】
図３のウインドウには、Terminal５が対象とするリングネットワークの模式図がグラフィカルに表示される。図中＃０〜＃６はTerminal５が接続されたＮＯＤＥ１−ｎと同じリングネットワークに属する他のＮＯＤＥ１−ｎに対応する局舎アイコンを示す。ここでは７つのＮＯＤＥを備えたシステムが示される。局舎＃０〜＃６を結ぶ二重線は、同一波長の高速回線を示す伝送路アイコンである。現用系伝送路（ＳＲＶ）は太い線で、予備系伝送路（ＰＲＴ）は細い線でそれぞれ示される。
【００１８】
ここで、局舎＃６の両側（East(W)およびWest(W)）の伝送路に障害が発生しているものとする。Terminal５は接続されたＮＯＤＥ１−ｎから所定の管理情報を取得してその旨を把握している。このとき画面上では、障害の発生した伝送路に対応する伝送路アイコンが、その障害の程度に応じて他と異なる表示色で表示される。例えば重度（critical）の障害であれば赤色で表示されるし、中程度（Major）であれば黄色で表示される。また障害無しの伝送路および局舎＃０〜＃６は、例えばグリーンで表示される。
【００１９】
画面上部のメニューバーには、クリッカブルな各種機能ボタンが設けられている。左から順に、Terminalボタン、Alarmボタン、Logボタン、Performanceボタン、Pathボタン、Protectionボタン、Securityボタン、Systemボタン、Node-Otherボタン、Displayボタン、Helpボタンである。これらのボタンがクリックされると図４〜図６に示されるようなサブメニューが表示され、ここから各種機能ウインドウが開かれる。
【００２０】
次に、上記構成における作用を説明する。以下の説明においては、便宜上、＜Node Alarm Summary＞、＜Notification＞，＜Ａｌａｒｍ＞，＜Ｌｏｇ＞，＜Ｐｒｏｔｅｃｔｉｏｎ＞，＜Ｓｅｃｕｒｉｔｙ＞，＜Ｓｙｓｔｅｍ＞，＜Ｎｏｄｅ−Ｏｔｈｅｒ＞，＜Ｄｉｓｐｌａｙ＞なる９つの章が設けられる。
【００２１】
＜Node Alarm Summary＞
図３の画面でいずれかの局舎アイコンがクリックされると、図７のＮＯＤＥ内の障害発生の状況を表示するNode Alarm Summary Displayウインドウが開かれる。図７のウインドウには、図３で選択されたＮＯＤＥのシェルフ（架）構成が模式的に示される。この図では、NODE#0の構成が表示されている。各シェルフを示す矩形はそれぞれクリッカブルで、例えばＦＡＮがクリックされると図８のウインドウが開かれる。図８のウインドウはShelf Alarm Summary Displayウインドウと称され、このウインドウには、クリックされたシェルフのカード（基板）構成が示される。
【００２２】
ところで、図７においてはＣＯＭシェルフの表示色が他と異なって（図中斜線：実際は例えば赤色で表示する）おり、このシェルフに障害が発生している旨が示される。そこで、図７のＣＯＭシェルフがクリックされると、図９のShelf Alarm Summary Displayウインドウが表示される。図９のウインドウでは、ＣＯＭシェルフで障害を持つカードが他と異なる表示色で示される。ここではＱ  ＩＮＦカードに障害のあることが判る。
【００２３】
また図７のウインドウには、ＭＡＩＮＴ（Maintenance）と示す矩形が表示される。これはクリックボタンではなく、表示されているＮＯＤＥのメンテナンス状態を色分けして示すものである。メンテナンス中でなければ例えばグレーで表示されるが、当該ＮＯＤＥがメンテナンス状態であればここが例えば水色になる。そして、図７でメンテナンス作業（カード交換など）の行なわれているシェルフの色が他と区別され、作業の詳細がウインドウの下欄に表示される。
【００２４】
Terminal５は、ＮＯＤＥがメンテナンス状態であるか、またはメンテナンス状態でないかを各ＮＯＤＥからの通知により把握している。図７に示されるような表示の形態により、ユーザはＮＯＤＥのメンテナンス状態を詳しく知ることができる。
【００２５】
また、図７〜図９のいずれのウインドウにおいても、Alarm（警報）の発生状況の一覧をテキスト形式で示す欄が設けられている。オペレータはこの欄を参照することにより、警報に関する詳細情報を得ることができる。図７〜図９においては、Card（基板）、Probable Cause（予想される原因）、Perceived Severity（障害の程度）などの項目ごとに、その状態がスクロールウインドウに記述される。
【００２６】
＜Notification＞
図１０に示されるNotification Displayウインドウにつき説明する。
【００２７】
このNotification Displayウインドウは、Terminal５が立ち上げられた時に開かれる。このNotification Displayウインドウは、デフォルトの設定では、開かれるときに最小化してもよい。また、Notification Displayウインドウは、このウインドウに対して最大化操作が行なわれると、主画面であるNetwork Alarm Summary Displayの上に重ねて開かれるようになっている。後述する設定により、Notification Displayウインドウは、ＮＯＤＥから通知情報が到着した場合に自動的に表示（ポップアップ）されるようにもできる。
【００２８】
このNotification Displayウインドウは、Terminal５がその接続相手先のＮＯＤＥ（ここでは図１のＳＴ−２のＮＯＤＥ１−ｎ）から取得した通知情報やパフォーマンスデータなどの品質情報の履歴を、テキスト形式で一覧表示するものである。
【００２９】
図１０に示すNotification Displayウインドウには、Detailボタン、Mark1／Mark2ボタン、Item SelectionとしてのRowボタンとColumnボタン、Window ControlとしてのPropertiesボタン、ＡＣＯ（Alarm Cut Off）ボタンと、スクロールウインドウが設けられている。
【００３０】
（スクロールウインドウ）
スクロールウインドウには、取得された通知情報が時系列的に、例えば発生順に上から並べて表示される。そして、スクロールウインドウには、Time/Date、Event Type、Shelf(Object Class)、Card(Object Class)などの通知情報の属性が表示される。このほか、図１０では隠れているが、Card(Object Class)の右側に更に多くの属性項目が有る。これは横のスクロールボタンを操作することによりウインドウ中に表示させることができる。Time/Date欄には、イベントの発生日時が示される。Event Type欄には、イベントの種別が示される。Shelf(Object Class)欄、Card(Object Class)欄には、それぞれイベントの生じたシェルフおよびカードが示される。
【００３１】
図１０のスクロールウインドウに表示された任意の情報が選択されたのち（選択されると反転表示になる：図では斜線で示される）、ウインドウ左上のDetailボタンがクリックされると、図１６〜図１８のようなNotification Detailed Displayウインドウが表示される。これらのウインドウには、選択された情報の詳細な内容が示される。
【００３２】
イベントによっては情報量が非常に大きく、図１０のスクロールウインドウに一列で表示できないものがある。そこで本実施形態では、図１６〜図１８のようなウインドウを設けて情報の詳細を分かりやすく表示するようにしている。図１７においてはState Change、図１８においてはProtection Switch Reportingに係わる情報が示される。いずれも情報量の大きなイベントである。図１８に示されるように、これらのウインドウは縦にスクロールさせることが可能である。
【００３３】
（Mark1／Mark2ボタン）
図１０のスクロールウインドウに表示された任意の情報が選択され、Mark1／Mark2ボタンがクリックされると、選択された情報にマークを付すことができる。そして、ウインドウが如何にスクロールされようとも、Mark1／Mark2ボタンが再度クリックされることで、マークされた情報に戻れるようになっている。
【００３４】
このようにすることで、特に通知された情報の数が多い場合などにオペレータのサーチ作業が容易になる。２つのマークボタンを設けることで、２つの情報に対処できるし、さらにクリア（Clr）ボタンを設けてマークをクリアすることも可能となっている。
【００３５】
（ＡＣＯボタン）
図１０のウインドウでＡＣＯ（Alarm Cut Off）ボタンがクリックされると、図１１のAlarm Cut Offウインドウが表示される。図１１のウインドウは、ランプやベル音などで報知される局舎内アラームの作動を停止するためのウインドウである。本実施形態でのシステムでは、ＮＯＤＥで障害を検出すると局舎に設けられた報知器（図示せず）を動作させてオペレータに通知するようになっているが、図１１のウインドウでＥｘｅｃ（実行）がクリックされると報知器の動作を停止することができる。
【００３６】
（Item Selection）
図１０のウインドウ中に、Item Selectionとして示されるボタンがある。すなわちRowボタンとColumnボタンである。このうちRowボタンがクリックされると、図１２のItem Selection（Row）ウインドウが表示される。図１２のウインドウは、図１０のスクロールウインドウにおける絞り込み検索（フィルタリング）を行うためのもので、項目ごとのチェックボックスを任意にチェックしたのちＯＫボタンがクリックされると、再び図１０ウインドウに戻って絞り込まれた内容のみが表示される。Cancelボタンがクリックされると設定中止となる。
【００３７】
図１０においてColumnボタンがクリックされると、図１３のItem Selection（Column）ウインドウが表示される。このウインドウは、図１０のスクロールウインドウにおける表示順序を変更する（ソーティング）ためのもので、設定項目として大きく（Common Item）、（Alarm）、（State Change）、（Protection Switch Rep）、（Security Alarm）がある。各項目の上にはLocationとして優先度を設定するためのボタンが有り、これがクリックされると図示のごとく表示順序を設定することができる。図１０のスクロールウインドウに表示される項目は、ここで設定された優先順位に沿って左から順番に表示される。
【００３８】
（Window Control）
図１０においてPropertiesボタンがクリックされると、図１４のNotification Display Window Controlウインドウが表示される。このウインドウは、新たな通知情報を受けたときの処理の設定を行うためのウインドウである。各項目ごとに、OnまたはOffいずれかのラジオボタンがチェックされる。
【００３９】
図１４のウインドウでWindow Auto OpenのＯｎがチェックされると、新たな通知情報を受信した際に図１０のウインドウが自動的に表示（ポップアップ）される。TerminalのＯｎがチェックされると、新たな通知情報が受信された際にブザー３３２（図２）を鳴動させてオペレータの注意が喚起される。RenewalのＯｎがチェックされると、新たな通知情報が受信された際に、この最新の通知情報を図１０のスクロールウインドウに表示するべく、画面が自動的にスクロールされる。RenewalのＯｆｆがチェックされていれば、新たな通知情報を受信してもスクロールの状態は変わらない。
【００４０】
図１４のウインドウでClear Display of notificationsがクリックされると、図１０のスクロールウインドウの表示がクリアされる。またこれに先立って図１５のCAUTION（警告）ウインドウが開かれ、ウインドウがクリアされる旨のメッセージを示してオペレータに注意が促されるようになっている。なお、表示がクリアされてもTerminal５のデータベースに記憶されたデータはそのまま保存される。
【００４１】
なお、以上説明した図１０のウインドウはTerminal５を用いる処理の中核をなすものであるので、装置立ち上げ時にデフォルトで表示されるようにしておくと便利である。例えば図３のメイン画面とワンタッチで切り替えで表示できるようにしておくとか、またはメイン画面中に専用のアイコン（図示せず）を設け、このアイコンをクリックすることで図１０のウインドウを開くようにしても良い。
【００４２】
＜Ａｌａｒｍ＞
次に、Ａｌａｒｍ関係の動作について説明する。Ａｌａｒｍ関係については、図４に示すように、Alarm Severity Control、Maintenance Control、 SD Threshold Controlのサブメニューが用意されている。
【００４３】
（Alarm Severity Control）
まず、図１９に示されるAlarm Severity Controlウインドウにつき説明する。このウインドウは、図３のメイン画面でAlarmがクリックされると表示されるサブメニュー（図４に示される）から、Alarm Severity Controlがクリックされたときにオープンされる。
【００４４】
図１９のウインドウでNode/Category/Probable Causeボタンがクリックされると、図２０のNode/Category/Probable Cause Selectionウインドウが表示される。このウインドウは、任意のＮＯＤＥを選択して（但し接続相手のＮＯＤＥが属するリングネットワーク内で）、そのＮＯＤＥからTerminal５（自装置）に通知される警報情報の重要度、または緊急度を警報種別ごとに設定するものである。
【００４５】
図２０においてNodeボタンがクリックされると、図２１のNode Selectionウインドウが開かれる。このウインドウでは、操作対象とするＮＯＤＥが選択される。本実施形態では、図３のように一つのリングネットワークに７つのＮＯＤＥが存在するので、この７つのＮＯＤＥからユーザの所望のＮＯＤＥが選択される。いずれかのＮＯＤＥが選択されると、画面の表示は図２０に戻る。
【００４６】
なお、図２１の例では１６個までＮＯＤＥを表示できるようにしているが、システム上の制約やterminal５の性能上問題がなければ、それ以上の数を表示できるようにしてもよい。
【００４７】
図２０のウインドウにおいて、操作対象とする各項目（Category，LS Channel Operation Mode）が選択されたのちReadボタンがクリックされると、選択されたＮＯＤＥの現在の設定状態が読み出される。そうして、画面の表示は図１９に戻り、図２０において選択された項目が図１９の表示内容に反映される。図１９の（Assignment Profile  Perceived Severity）と書かれたスクロールウインドウに、読み出された結果が行ごとに表示される。
【００４８】
図１９において一つの行が選択され、Perceived Severityの欄で警報の程度（Critical Major Minor Warning Non-Alarmed：左から順に危険度が高い）が設定されたのちSetボタンがクリックされると、操作対象のＮＯＤＥに対して図１９における設定の内容がセットされる。セットが正常に完了したか（ＯＫ）または正常に完了しなかったか（ＮＧ）などの情報は、Consoleの欄に表示される。
【００４９】
このようにして、各ノードから送出される警報の緊急度をTerminal５側から任意に設定することが可能となる。これにより、以下のようなことが可能となる。例えばＮＯＤＥの動作試験、設置作業、または、カード交換などの作業が行われると、ＮＯＤＥ側で各種の警報が多量に発生する。これらの警報がすべてＵ−ＮＭＥ３に通知されると、警報を通知するために通信リソースが消費されてしまい、システム運用に悪影響を及ぼす虞がある。特に、ＡＩＳ（Alarm Indication Signal）についてはこのことが顕著である。
【００５０】
そこで、上記機能を用いて警報の種別ごとにその緊急度を任意に設定できるようにしておくことで、試験の際には必要最小限の警報を発するなどの設定を行えるようになる。これにより、システム運用上の便宜を図ることができる。また警報の緊急度を任意に設定することで、緊急度に応じた画面中の色分けなどを行える。
【００５１】
（Maintenance Control）
図２２に示されるMaintenance Controlウインドウにつき説明する。このウインドウは、図４に示されるサブメニューからMaintenance Controlがクリックされるとオープンされる。図２２のウインドウは、対象とするＮＯＤＥの運用モードを変更するために使用される。ＮＯＤＥには、Maintenance（メンテナンスモード）またはNot Maintenance（非メンテナンスモード）のいずれかの運用モードがある。図２２のウインドウにおいては、例えば図２０における手順と同様の手順により、対象とするノードが選択される。そののちMaintenance/Not MaintenanceのいずれかがチェックされたのちExecボタンがクリックされると、設定内容が対象ＮＯＤＥに通知される。
【００５２】
（Maintenance Signal Insertion Control）
図２３に示されるMaintenance Signal Insertion Controlウインドウにつき説明する。このウインドウは、図４に示されるサブメニューからMaintenance Signal Insertion Controlがクリックされるとオープンされる。
図２３のウインドウにおいては、任意のノードが指定され、この指定されたノードにつき保守に係わる警報信号（Maintenance Signal：保守用信号）の送出の許可または不許可が設定される。保守用信号としては、例えば上記したＡＩＳなどがある。
【００５３】
図２３のウインドウにおいてNodeボタンがクリックされると、図２４のNODE Selectionウインドウが開かれる。図２４のウインドウにおいて対象とするノードが選択されたのちReadボタンがクリックされる。すると、選択したノードにつきその現在の設定内容が読み出されて図２３のスクロールウインドウに表示される。
【００５４】
上記スクロールウインドウで任意の項目（チャネル）がクリックされ、選択される。そうすると、図２５のMaintenance Signal Insertion Settingウインドウが開かれて、個々のOperation Mode（SRV，PRT，P/T）につきAllow（許可）またはInhibit（不許可）のいずれかが選択される。そうしてSetボタンがクリックされると、画面の表示は図２３のウインドウに戻る。このようにして、各Channelごとの設定がなされる。
【００５５】
図２３のウインドウにおいて各項目につき設定が完了したのち、Modifyがクリックされると、設定された内容が対象のノードに通知され、設定内容がセットされる。通知を受けたノードは、上記設定内容にしたがって保守用信号を送出する。
【００５６】
（SD Threshold Control）
図２６に示されるSD Threshold Controlウインドウにつき説明する。このウインドウは、図４に示されるサブメニューからSD Threshold Controlがクリックされるとオープンされる。図２６のウインドウは、警報情報のなかでも、特にＳＤ（Signal Degrade）警報を発する際の閾値を設定するために使用される。
【００５７】
図２６のウインドウにおいてNodeがクリックされると、図２４のNODE Selectionウインドウが開かれる。図２４のウインドウで対象とするノードが選択され、Readがクリックされて現在の設定内容が読み出され、その内容が図２６のスクロールウインドウに表示される。
【００５８】
図２６のスクロールウインドウで任意のChannelがクリックされると図２７のSD Threshold Settingウインドウが開かれ、当該選択されたチャネルにつき、個々のOperation Mode（SRV，PRT，P/T）につき閾値が選択される。各項目の設定が完了したのち図２６のModifyがクリックされると、各設定内容が対象のノードに通知され、通知を受けたノードに設定内容がセットされる。
【００５９】
＜Ｌｏｇ＞
次に、Ｌｏｇ関係の動作について説明する。ｌｏｇ関係については、図４に示すように、NODE Log Control、NODE Record Retrieval、 Terminal Access Record Retrievalのサブメニューが用意されている。
【００６０】
（NODE Log Control）
図２８に示されるNODE Log Controlウインドウにつき説明する。このウインドウは、図３のメイン画面でLogがクリックされて開かれるサブメニュー（図４に示される）において、NODE Log Controlがクリックされるとオープンされる。図２８のウインドウは、Terminal５の接続相手のＮＯＤＥのデータベースに格納されているログの操作に関係するウインドウである。
【００６１】
図２８に示されるように、ＮＯＤＥのデータベースには、Alarm、Object Creation/Deletion、State Change、Protection Control、Security Alarmなる項目を有するログが格納される。これらの項目は、いずれもＮＯＤＥ側で検出されるイベントであり、その履歴が各ＮＯＤＥ自身で記憶され、履歴としてデータベース化される（同じ内容が通知情報としてＳＳＥ２またはＵ−ＮＭＥ３に送られ、ＳＳＥ２またはＵ−ＮＭＥ３のデータベースにもログとして蓄積される）。
【００６２】
図２８のウインドウにおいては、上記各項目に関する最大のログサイズが設定される。図２８のウインドウにおいて、Readボタンがクリックされると、接続相手のＮＯＤＥから現在の設定内容が読み出され、図２８に表示される。図２８のウインドウにおける設定項目には、Max Log Size（記憶リソースにおけるログの最大サイズ：単位Kbyte）と、Number of Records（記憶リソースにおけるログの最大数）とがある。これらの項目につき数値による設定が行われたのち、Setボタンがクリックされると、相手先ＮＯＤＥに設定内容がセットされる。
【００６３】
なお、デフォルトでは、例えばAlarm〜Security Alarmにそれぞれ均等のログサイズが割り当てられている。これに対し、上記の操作を行うことで、例えば各項目の発生頻度に応じて最大ログサイズを割りあてるといった設定ができる。例えば、Creation/Deletionなるイベントは、他のイベントに比べて起こり得る数が少ないので、割り当てログサイズを小さくする。その代わり、発生頻度の高いAlarmイベントにつき多くのサイズを確保するようにできる。このようにすることで、ＮＯＤＥにおける記憶リソースを有効に活用できるなどの利点がある。
【００６４】
なお、ログが蓄積されるに伴い、最大ログサイズを溢れたデータは、デフォルトでは上書き（Wrapモード）され、旧いものから順に消去される。ログは、時間の経過につれサイクリックに上書きされるため、ログサイズを変更する際には蓄積されていたログはすべて消去される。よって、図２８のSetボタンがクリックされるときに、警告ウインドウが表示されるようになっている。図２９に、警告ウインドウの一例が示される。このウインドウには、「ログ記録がすべて消去されます。よろしければＯＫボタンを、中止するならＣａｎｃｅｌボタンをクリックして下さい。」の旨が表示される。
【００６５】
（NODE Record Retrieval）
図３０に示されるNODE Record Retrievalウインドウにつき説明する。このウインドウは、図４に示されるサブメニューからNODE Record Retrievalがクリックされるとオープンされる。このウインドウは、データベースに記録されたログから所望のデータを検索する際の条件を設定するためのウインドウである。
【００６６】
図３０のウインドウでは、Node Record Retrieval TypeとしてAlarm、Object Creation/Deletion、State Change、Protection Control、Security Alarm（図示せず）の中から一つが選択される。Conditionの欄でAll（時間を指定しない）、またはTime（時間を指定する）のいずれかが指定される。Timeが指定された場合には、Event Time（Start/End）で（Start）〜（End）の範囲での時刻が指定される。図３０のウインドウにおいて各項目が指定されたのちReadボタンがクリックされると、検索の結果が図３１の（Alarm）Record Retrieval Reportウインドウに表示される。
【００６７】
図３１のウインドウには、選択されたRecord Type（図３１にはウインドウのタイトルにAlarmが示されている。このタイトルは、選択されたRecord Typeにより変わる）に関係して履歴から検索された通知情報の一覧が、テキスト形式でスクロールウインドウに表示される。図３１のウインドウは、データベースに履歴として蓄積された通知情報の検索結果を表示する点で、図１０のウインドウと異なる。図１０のウインドウには、取得された通知情報がリアルタイムで表示されるのに対して、図３１のウインドウには、データログからの検索結果が表示される。
【００６８】
図３１のウインドウにおいても、図１０と同様にMark1／Mark2ボタンを用いて、スクロールウインドウに表示された任意の情報にマークを付すことができる。そして、スクロールウインドウ内の如何なる場所からも、Mark1／Mark2ボタンがクリックされることで、マークされた情報に戻れるようになっている。クリア（Clr）ボタンについても図１０と同様である。図３２に、Protection Controlに関する検索結果の表示例を示す。
【００６９】
（Terminal Access Record Retrieval）
図３３に示されるTerminal Access Record Retrievalウインドウにつき説明する。このウインドウは、図４に示されるサブメニューからTerminal Access Record Retrievalがクリックされるとオープンされる。このウインドウは、ＮＯＤＥに記憶されたログのうち、特にTerminal５からのアクセスログに関するデータを検索するための条件を設定するためのウインドウである。
【００７０】
図３３のウインドウにおいて、例えば図３０と同様にして検索条件が指定されReadボタンがクリックされると、検索の結果が図３４のTerminal Access Record Retrieval Reportウインドウに表示される。スクロールウインドウのLogin Nameには、ログインユーザの名前、Functionには当該ログインユーザの操作内容がそれぞれ表示される。
【００７１】
＜Ｐｅｒｆｏｒｍａｎｃｅ＞
次に、Performance関係の動作について説明する。Performance関係については、図４に示すように、Performance Data Record Retrieval と、Quality of Service Alarm Control のサブメニューが用意されている。
【００７２】
（Performance Data Record Retrieval）
図３５に示されるPerformance Data Record Retrievalウインドウにつき説明する。このウインドウは、図３のメイン画面でPerformanceがクリックされて開かれるサブメニュー（図４に示される）において、Performance Data Record Retrievalがクリックされるとオープンされる。このウインドウは、接続相手のＮＯＤＥのデータベースから品質ログを検索するために使用される。
【００７３】
図３５のウインドウにおいては、相手先ＮＯＤＥのChannel、及び、Operation Modeなる項目が指定される。Channel項目では、ＮＯＤＥが収容する高速側回線（ＨＳ Ｗ（West）、ＨＳ Ｅ（East））のチャネル、および、低速側回線（ＬＳ１〜ＬＳ３２）のチャネルがそれぞれ指定される。Operation Mode項目では、ＳＲＶ（サービスチャネル：現用系）、ＰＲＴ（プロテクションチャネル：予備系）、Ｐ／Ｔ（パートタイム系）なる伝送路の種別が指定される。これらの項目が、ドロップダウンリストで選択される。
【００７４】
図３５のウインドウでReadボタンがクリックされると、選択された対象につき現時点での状態がＮＯＤＥのデータベースから検索され、その結果の一覧が図３６のPerformance Data Record Retrieval Report（Graph）ウインドウに表示される。このウインドウでも、Mark1／Mark2ボタン、および、クリア（Clr）ボタンの機能を使用することができる。
【００７５】
（Quality of Service Alarm Control）
図３７に示されるQuality of Service Alarm Controlウインドウにつき説明する。このウインドウは、図４に示されるサブメニューからQuality of Service Alarm Controlがクリックされるとオープンされる。本実施形態におけるシステムでは、各ＮＯＤＥで計測される品質情報が過度の品質低下を示した場合には、その旨を警報として監視制御装置３に通知させるようにしている。図３７のウインドウは、警報を送出する際の条件を設定するためのウインドウである。図３７のウインドウで設定された条件は、選択されたＮＯＤＥに通知され、通知を受けたＮＯＤＥはこの条件に沿って動作する。
【００７６】
品質情報としては、ＴＣＣＶ（Total Count of Code Violation）、ＢＢＥ（Background Block Error）、ＥＳ（Errored Second）、ＳＥＳ（Severely Errored Seconds）、ＵＡＳ（Unavailable Seconds）、ＯＦＳ（Out of Frame Second）などが有る。
【００７７】
図３７のウインドウにおいてNODE/Channel/Selectionボタンがクリックされると、図３８のNODE/Channel/Section Selectionウインドウが表示される。図３８のウインドウにおいて、リングネットワーク内の、どのノードの、どのチャネルの、どのセクションについての品質情報を対象とするかが設定される。すなわち図３８のウインドウにおいては、接続相手のＮＯＤＥだけでなく、当該ＮＯＤＥを含むリングネットワークに属する全てのＮＯＤＥを対象とすることができる。
【００７８】
図３８のウインドウにおいてReadボタンがクリックされると、現在の設定内容が対象ＮＯＤＥから読み出され、図３７のウインドウに表示される。図３７のウインドウに表示された内容をもとに、Terminal ５の操作者は、品質情報のそれぞれ（TCCV〜OFS）につき、警報を送出する際の条件を変更、または修正する。
【００７９】
図３７のウインドウにおいて、Notify欄でOnまたはOffが選択され、警報の通知または非通知が設定される。Perceived Severity欄では、Critical，Major，Minor，Warningのいずれかが選択され、通知される警報のランク付けを設定する。Threshold欄では、警報の通知／非通知に関係する閾値が数値入力により設定される。
【００８０】
各品質情報ごとに上記の設定がなされたのち、Setボタンがクリックされると、対象とするＮＯＤＥに設定内容が通知される。通知を受けたＮＯＤＥは、通知された設定内容に沿って、監視制御装置３に警報を通知する。以上の機能により、通信品質の管理を行う際の便宜を向上できる。
【００８１】
＜Ｐａｔｈ＞
次に、Ｐａｔｈ関係の動作について説明する。Ｐａｔｈ関係については、図５に示すように、Path Configuration Control 、Ring Map Administrative Control  、Ls Group Type Control 、APS Control のサブメニューが用意されている。
【００８２】
（Path Configuration Control）
図３９に示されるPath Configuration Controlウインドウにつき説明する。このウインドウは、図３のメイン画面でPathがクリックされて開かれるサブメニュー（図４に示される）から、Path Configuration Controlがクリックされるとオープンされる。図３９のウインドウは、ネットワークにパスを設定するためのウインドウである。
【００８３】
図３９に示すPath Configuration Controlウインドウには、Function、Edit、Viewのメニューがある。Functionには、サブメニュー（図示せず）として、Read Path、Update Path、 Invalidが用意されている。
【００８４】
まず、パスを設定するに当たり、操作者は現在のパスの設定状態を知る必要がある。そこで、図３９の左上のFunctionがクリックしてサブメニューのRead Pathボタンがクリックされると、図４０のRead Pathウインドウが表示される。
【００８５】
図４０のウインドウは、パスの設定状態を取得するＮＯＤＥを指定するためのウインドウである。図４０のウインドウにおいては、設定状態を得るに際してのモードが指定される。図４０において、Scope Mode欄で、パスの設定状態を取得する対象を、リングネットワーク内の全ＮＯＤＥ（All Nodes）とするか、または自装置（Terminal ５）の接続相手のＮＯＤＥ（Local Node）とするかが選択される。そして、SRV、P/Tのいずれか、または両方のOperation Modeが指定されたのちReadボタンがクリックされると、選択された対象から現在のパス設定内容が読み出される。この読み出された内容は、図３９の表示（スクロールウインドウ）に反映される。
【００８６】
図３９に示されるスクロールウインドウにおいて、＃０〜＃３と表示されているのは、図３のメイン画面に示されたＮＯＤＥにそれぞれ対応する。図３９においては、一つのリングネットワークが４つのノードを備える例が示される。図３９において四角で囲まれた符号＃１が、現在自端末（Terminal５）の接続されているＮＯＤＥを示す。スクロールウインドウに向かって左が高速側Ｗｅｓｔ回線、右側がＥａｓｔ回線である。スクロールウインドウの左側には、高速側回線に時分割多重されたタイムスロットが番号で表示されており、一つのタイムスロットが一本のパスに対応する。
【００８７】
例えば、ＮＯＤＥ＃３とＮＯＤＥ＃０との間には、タイムスロット２，３の位置に、それぞれ１本の両向き矢印が表示されている。各矢印が一つのパスに対応し、矢印の先端のノードにおいて、パスがＬＳ側にドロップされていることが示される。
【００８８】
各矢印の先端には、パスのドロップ種別を示す印が表示される。例えばタイムスロット２では、ＮＯＤＥ＃０に三角印（head）が、ＮＯＤＥ＃３に四角印（Tail）が、またＮＯＤＥ＃１のＮＯＤＥ＃０側に白丸印（Drop & Continue）が表示されている。これは、ＮＯＤＥ＃０でＬＳ側からAddされたパスが、ＮＯＤＥ＃３でＬＳ側にドロップされるとともに、途中のＮＯＤＥ＃１においてもＬＳ側にドロップされていることを示す。このようなパスは、デュアルホーミング（Dual Homing）パスと称される。このほか、二重丸印でDrop & Continue with Addパスが示される。
【００８９】
図３９の各矢印先端部分の数字は、パスのドロップ先となる低速側のチャネル番号を示す。パスのドロップ先は、例えば図４５に示されるように更に詳細に示すこともできる。図４５において、“１７Ｂ１”なる表記については、最初の１７がチャネル番号、次のＢが基板種別（ＡはSTM-4基板、ＢはSTM-16基板を示す）、次の１はＬＳ（低速側チャネル）のタイムスロット番号を示している。
【００９０】
図３９において、NODE#03とNODE#02との間のSRV区間には、タイムスロット９〜１２の位置にそれぞれ矢印が表示されている。これらの矢印は、全体として一つのコンカチネーション（Concatenation）パスであることを示している。つまり、４つのタイムスロットで一つのパスが形成される。“１７Ｂ１ａ”、または“６５Ｂ１ａ”と表記されているのは、パスのドロップ状態を示している。例えば“１７Ｂ１ａ”と表記されているとき、最初の“１７”で、パスがドロップされる低速側のチャネル番号が示される。次の“Ｂ”で、パスがドロップされる基板種別が示される。“Ｂ”はSTM-16基板を意味し、“Ａ”はSTM-4基板を意味する。次の“１”で、低速側チャネルにおけるタイムスロット番号が示される。最後の“ａ”は、コンカチネーションの種別を示しており、この矢印で示されるコンカチネーション信号が、STM-4相当のAU-4-4c信号であることを示す。
【００９１】
図３９のウインドウを用いたパスの設定方法を説明する。
まず、設定しようとするパスの始点及び終点を指定する。例えば図３９の点線囲み部分（タイムスロット１２，ＮＯＤＥ＃０：実際には表示されない）の周辺がクリックされると、図４１のNode Informationウインドウが開かれる。図４１には、当該クリックされた箇所に相当するＮＯＤＥに係わる現在のパス状態が表示される。
【００９２】
図４１のウインドウにおいて、パスタイプ（Head,Tailなど）がPath Type欄のプルダウンメニューで指定され、設定すべきパスのコンカチネーションの種別がConcatenation Type欄で指定される。図４１においては、ＳＴＭ−１相当のＡＵ−４、ＳＴＭ−４相当のＡＵ−４−４ｃ、ＳＴＭ−１６相当のＡＵ−４−１６ｃが選択できるようになっている。この欄に、ＳＴＭ−６４相当のＡＵ−４−６４ｃを設けても良い。LS Channel欄では、プルダウンメニューでパスの始点または終点となるチャネルが選択される。各項目が選択されたのち、CreateボタンまたはModifyボタンがクリックする。
【００９３】
そして、図３９のFunctionのサブメニューのUpdate Path（図示せず）がクリックされると、図４３のUpdate Path Controlウインドウが表示される。図４３のウインドウは、パス設定を含むデータの更新を指示するためのウインドウである。図４３のウインドウにおける各項目がチェックされたのちExecボタンがクリックされることにより、設定内容が有効になり、ネットワーク内に新たなパスが設定される。
【００９４】
なお、パスの設定作業中にAPSが機能すると、トラフィック誤接続を生じる虞がある。誤接続を避けるために本実施形態のシステムでは、パス設定操作に先立ち、リングネットワーク内のAPS機能がロックされる。ＡＰＳがロックされると、障害が発生しても冗長系切り替えが実行されない。ＡＰＳのロックを解除するには、図４３のウインドウのRelease Lockout欄で、Releaseをチェックする。
【００９５】
なお、図４２に示されるInitialize Path Displayウインドウは、パスの編集作業をクリアする際に表示される警告ウインドウで、ここでＯＫがクリックされると編集内容がクリアされる。
【００９６】
図４４に示されるInvalid Pathウインドウにつき説明する。このウインドウは、図３９のFunctionのサブメニューのInvalid（図示せず）がクリックされると表示される。図４４のウインドウは、図３９に表示されるパスのなかに、無効なパスが有るか否かを確かめるためのウインドウである。図４４のウインドウにおけるスクロールウインドウ中に”Extra”と表示されているのは、本来有るはずのない余分なパスを示している。このほか、”Shortage”として欠落したパスが示される。
【００９７】
（Ring Map Administrative Control）
図４６に示されるRing Map Administrative Controlウインドウにつき説明する。このウインドウは、図４に示されるサブメニューからRing Map Administrative Controlボタンがクリックされるとオープンされる。図４６のウインドウは、ノード単位で個別にＡＰＳ機能のロック（Locked）／アンロック（Unlocked）を設定するためのウインドウである。このウインドウは、例えばパス設定を行う際にロック（Lock）されたＡＰＳ機能が何らかの事情で開放されなかった場合、それを手動で開放する場合などに利用される。
【００９８】
図４６でNode Conditionボタンがクリックされると、図４７のNode Conditionウインドウが開かれる。この図４７のウインドウで一つのＮＯＤＥが指定されるか、リングネットワーク内の全ＮＯＤＥを指定するかが選択される。そうして、Readボタンがクリックされると、対象とされたＮＯＤＥの現在の状態が取得され、その取得された内容が図４６に表示される。この状態から、図４６においてLocked（ロック）またはUnlocked（開放）のいずれかの状態が選択される。そうして、Setボタンがクリックされると、対象のＮＯＤＥにメッセージが送出され、ＡＰＳの状態がLockedまたはUnlockedにセットされる。
【００９９】
（Ls Group Type Control）
図４８に示されるLs Group Type Controlウインドウにつき説明する。図４８のウインドウは、低速（ＬＳ）系に関する冗長切り替えの形式を設定するためのウインドウである。図４８において、Node/LS Shelfがクリックされると図４９のNode/Shelf Selectionウインドウが開かれる。図４９のウインドウで、対象とするＮＯＤＥと低速シェルフとが選択されてReadボタンをクリックする。すると、現在のＬＳグループタイプの設定内容が読み出され、図４８のLS No.およびGroup Typeの欄に表示される。
【０１００】
この欄で所望の行が選択されると、Group Type欄のプルダウンメニューには、切り替え方式の種別が表示される。切り替え方式の種別には、装置内冗長切り替えに相当する”０：１”、パートタイム系を備える”１＋１ｃＰ／Ｔ”などが有る。このほか、”１＋１ｃ”、”１：１”、”１：１Ｐ／Ｔ”などが有る。ここで任意の切替方式が選択され、Edit Type欄でCreate（グループタイプを生成）またはDelete（グループタイプを消去）が選択されたのちSetボタンがクリックされる。そうすると、上記選択されたＮＯＤＥに対して設定内容が通知される。
【０１０１】
なお、他のウインドウでも同様であるが、Console欄には、ＮＯＤＥとの通信の結果が例えばＯＫ／ＮＧなどとして表示される。またウインドウ下部のフッタ部分（矩形）には、現在の通信のアクセス内容が逐次表示される。
【０１０２】
（APS Control）
図５０に示されるAPS Controlウインドウにつき説明する。図５０のウインドウは、図４に示されるサブメニューにおいてAPS Controlがクリックされたときに表示されるもので、ＡＰＳ機能の各種パラメータを設定するためのウインドウである。図５０のウインドウにおいて、Node/Channelボタンがクリックされると図５１のウインドウが開かれる。図５１のウインドウにおいて、操作対象とするＮＯＤＥとChannelとが選択され、Readボタンがクリックされると、現在の設定内容が対象ＮＯＤＥから読み出され、その内容が図５０に表示される。
【０１０３】
図５０においては、Wait-to-Restore Time，Wait-to-Response Time，Request Guard Timeなる項目が有る。これらの項目は、いずれもＡＰＳに係わる時間的なパラメータである。現在の設定値は、［  ］欄に表示される。この欄で任意の数値が設定されたのちSetボタンがクリックされると、上記選択されたＮＯＤＥに対して設定内容が通知され、セットされる。
【０１０４】
＜Ｐｒｏｔｅｃｔｉｏｎ＞
次に、Ｐｒｏｔｅｃｔｉｏｎ関係の動作について説明する。Ｐｒｏｔｅｃｔｉｏｎ関係については、図５に示すように、Protection Switching Control、APS Exerciser Control、Timing mode Control のサブメニューが用意されている。
【０１０５】
（Protection Switching Control）
図５２に示されるProtection Switching Controlウインドウにつき説明する。このウインドウは、図３のメイン画面でProtectionがクリックされると開かれるサブメニュー（図４に示される）から、Protection Switching Controlがクリックされるとオープンされる。このウインドウは、ＡＰＳによる切り替えを手動で行うためのウインドウである。
【０１０６】
ここでも、まずNode/Section Selectionがクリックされて図５３のNode Section Selectionウインドウが表示される。図５３のウインドウで、対象とするＮＯＤＥが選択され、Section欄でHS、Equipment、LSが選択される。Equipmentは、装置内切り替えに関する項目である。特に、LSが選択されると、併せてLS Channel（低速側チャネル）が指定される。各項目が指定されたのちReadがクリックされると、現在の設定内容が読み出されて図５２に表示される。図５３での選択内容に応じて図５２の表示フォームも変わる。
【０１０７】
図５２のスクロールウインドウには、Protection Status，Request Source，Switch Status，Auto Switch Condition，Switch Typeなどのパラメータの現在の状態が表示される。例えばSection欄でEquipmentが指定されると、二つのスクロールウインドウが開かれ、それぞれのウインドウで個別に設定を行えるようになっている。これは、EquipmentおよびHS切り替えに関しては、EastおよびWestなる２方向の切り替えが存在することに対応している。よって、LSが指定された場合には一つのスクロールウインドウのみが開く。
ちなみに、SectionでHSが指定された場合には、図５２にLS1-LS64、LS65-LS128として表示された欄がEAST、WEST（表示順序は問わない）なる表示となる。
【０１０８】
Control Section欄では、設定すべきセクションが指定されてスクロールウインドウが選択され、Switch Type Controlで切り替え種別（Forced Switch，Manual Switchなど）が選択される。Actionの欄でInvoke（切り替えの実行）またはRelease（切り替わっている状態から戻す）のいずれかが指定されたのちExecボタンがクリックされると、上記選択されたノードに対して設定内容が通知され、このノードに対して新たな切り替え状態がセットされる。このようにして、Terminal５側から任意のノードに対して、その切り替え状態を制御することが可能となる。
【０１０９】
（APS Exerciser Control）
図５４に示されるAPS Exerciser Controlウインドウにつき説明する。このウインドウは、図４に示されるサブメニューからAPS Exerciser Controlがクリックされると開かれるもので、ＡＰＳ機能に関する信号の授受に関する試験を行うためのウインドウである。図５４のウインドウにおいて、Node/Channelがクリックされて、操作対象とするNODEおよびチャネルが選択される。そうして、Exercise Type欄でSpan（Line）またはRingが選択されてExecボタンがクリックされると、選択されたNODEに関するＡＰＳの動作試験が実行される。なお、ここでは実際のスイッチング切り替えは実行されず、Ｋバイトの授受などが正常になされるか否かの試験のみが行われる。
【０１１０】
（Timing mode Control）
図５５に示されるNODE Timing mode Controlウインドウにつき説明する。このウインドウは、図４に示されるサブメニューでTiming mode Controlがクリックされると開かれるもので、各ノードにつきその動作クロックの取り方（Timing Mode）を手動で設定するためのウインドウである。
【０１１１】
図５５のウインドウでNodeボタンがクリックされ、対象とするNODEが選択され、現在のクロック供給状態が図５５に一覧表示する。図５５でSystem Timing Mode，Select Clock，Select Card，Synchronization Mode，Transmitting S1（WESTおよびEAST）の各項目が指定されたのちSetボタンがクリックされると、対象となるＮＯＤＥに対してメッセージが送出され、クロックの同期状態がセットされる。
【０１１２】
＜Ｓｅｃｕｒｉｔｙ＞
次に、Ｓｅｃｕｒｉｔｙ関係の動作について説明する。Ｓｅｃｕｒｉｔｙ関係については、図５に示すように、User Control 、Machine-Machine Control  のサブメニューが用意されている。
【０１１３】
（User Control）
図５６に示されるUser Controlウインドウにつき説明する。このウインドウは、図３のメイン画面からSecurityがクリックされて開かれるサブメニューから、User Controlボタンがクリックされると開かれる。
【０１１４】
図５６のウインドウには、Terminal５に現在登録されているユーザ名（オペレータ名）の一覧が表示される。各ユーザはそれぞ固有のパスワードを持ち、例えばTerminal５にログインする際などにこのパスワードを利用する。上記ウインドウには、パスワードの有効期限が“Password Valid Date”の欄に記されている。また、各ユーザにはAccess Levelとして、システム内の種々の機能に対して「どの程度まで操作可能であるか」を示すランクが設定されており、Level-A〜Level-Cなるランクがある。
【０１１５】
図５６でAdd Userボタンがクリックされると、図５７のAdd Userウインドウが表示される。このウインドウは、Terminal５にアクセス可能なユーザを新規に登録するためのウインドウである。図５７のウインドウには、ユーザ名入力欄と、パスワード入力欄と、パスワードの再確認を行うための欄と、アクセスレベルを設定するための欄とが備えられている。
【０１１６】
逆に、図５６のウインドウで任意のユーザがクリックされて選択されたのち、Delete Userボタンがクリックされると、上記選択されたユーザの登録が抹消される。その際、削除の可否を確かめるためのCAUTIONウインドウを表示しても良い。
【０１１７】
図５６のウインドウで任意のユーザがクリックされて選択されたのち、Change Access Levelボタンがクリックされると、図５８のChange Access Levelウインドウが表示される。図５８のウインドウは、上記選択されたユーザのアクセスレベルを変更するためのもので、いずれかのラジオボタンがチェックされてアクセスレベルが設定される。
【０１１８】
図５６のウインドウにおいて任意のユーザがクリックされて選択されたのち、Change Passwordボタンがクリックされると、図５９のChange Passwordウインドウが開かれる。図５９のウインドウは、上記選択されたユーザのパスワードを変更するためのウインドウである。このウインドウには、上記選択されたユーザ名が表示される欄と、該ユーザの旧いパスワードすなわち現時点でのパスワードが入力される欄と、新たに設定されるパスワードの入力欄と、このパスワードの再確認を行なうための欄とが備えられている。
【０１１９】
図５６のウインドウで任意のユーザをクリックして選択したのち、Password Validityボタンがクリックされると、図６０のPassword Validity Configurationウインドウが表示される。このウインドウは、上記選択したユーザのパスワードの有効期限を設定するためのウインドウで、プルダウンメニュー形式で月単位での指定を行なえるようになっている。
【０１２０】
（Machine-Machine Control）
図６１に示されるMachine-Machine Controlウインドウにつき説明する。図６１のウインドウは、図４に示されるサブメニューからMachine-Machine Controlボタンがクリックされると開かれる。このウインドウは、システム内の監視装置から被監視装置へのアクセスレベルを管理するためのものである。すなわち、図５６〜図６０のウインドウにおいては、人間の、装置に対するアクセス権限が管理された。これに対して図６１のウインドウでは、装置の、装置に対するアクセス権限が管理される。なおここで言う監視装置とは、Terminal５のほか、Ｕ−ＮＭＥ３およびＳＳＥ２を含む。
【０１２１】
図６１のウインドウにおいて、Nodeボタンがクリックされて操作対象のＮＯＤＥが選択され、この選択されたＮＯＤＥ現在の設定内容がManager Name、Access Levelの欄に表示される。
図６１のウインドウにおいてAddボタンがクリックされると、図６２のAdd Managerウインドウが開かれる。図６２のウインドウは、図６１で選択された被監視装置に対する監視装置を新たに追加登録するために用いられるウインドウである。このウインドウでManager Nameおよびそのアクセスレベルが指定されてSetボタンがクリックされると、選択された監視装置のアクセスレベルが設定される。
【０１２２】
図６１に表示されている監視装置のいずれかが選択されてChangeボタンがクリックされると、図６３のChange Manager Levelウインドウが表示される。図６３のウインドウは、上記選択された監視装置のアクセスレベルを変更するためのウインドウである。このウインドウにおいて、いずれかのラジオボタンがチェックされたのちSetボタンがクリックされると、新たな設定が有効となる。
【０１２３】
逆に、図６１でスクロールウインドウ内に表示されている監視装置のいずれかが選択されてDeleteボタンがクリックされると、当該選択された監視装置の登録が抹消される。その際、図６５に示されるようなＣＡＵＴＩＯＮウインドウを表示しても良い。
【０１２４】
図６４に示されるAuto Logout Time Settingウインドウにつき説明する。図６４のウインドウは、図４に示されるサブメニューからAuto Logout Time Settingがクリックされたときに開かれる。このウインドウは、オートログアウト機能における時間設定を行なうためのウインドウである。オートログアウト機能とは、ログインされている状態のTerminal５において、何らの操作も行われない状態が所定時間継続した場合に、自動的にログオフする機能である。この種の機能は、セキュリティ確保に有効であるとして良く知られている。図６４のウインドウでは、最後の操作からログオフまでの時間（すなわちオートログアウト時間）が設定される。
【０１２５】
＜Ｓｙｓｔｅｍ＞
次に、Ｓｙｓｔｅｍ関係の動作について説明する。Ｓｙｓｔｅｍ関係については、図６に示すように、System Time Setting  、Software Information 、Ring APS Controlのサブメニューが用意されている。
【０１２６】
（System Time Setting）
図６６に示されるSystem Time Settingウインドウにつき説明する。このウインドウは、図３のメイン画面からSystemがクリックされて開かれるサブメニュー（図５に示される）から、System Time Settingボタンがクリックされるとオープンされる。このウインドウは、ネットワークシステム内の装置を指定して、その動作基準時間を設定するためのウインドウである。
【０１２７】
図６６のウインドウにおいて、Nodeボタンがクリックされると、時刻設定を行なう対象とするＮＯＤＥを指定するためのウインドウが開かれ、このウインドウで設定対象とするＮＯＤＥが指定される。ここで選択されたＮＯＤＥから、現在の設定状態が読み出され、その内容が図６６に反映される。図６６のウインドウにおいて、Date/Time欄で動作時間が設定されたのちＳｅｔボタンがクリックされると、上記選択したＮＯＤＥに対しての時間設定が有効となる。
【０１２８】
以上のようにして、任意の装置に対する動作時間を設定することにより、ネットワークシステムに存在する全ての装置を、同じ時間に同期して動作させることが可能になる。これにより、ネットワークシステムが互いに時差のある地域をまたいで設置された場合に、各装置の動作時刻を世界標準時間（ＵＴＣ）に合わせるといった設定が可能になる。もちろん、必要に応じて、装置毎に異なる動作時間を設定することも可能である。
【０１２９】
（Ring APS Control）
図６７に示されるRing APS Controlウインドウにつき説明する。図６７のウインドウは、図５に示されるサブメニューからRing APS Controlがクリックされたときに表示される。このウインドウは、Ring Apsとして称される高速側冗長切り替え機能に関する諸パラメータを設定するためのウインドウである。
【０１３０】
Ring APS機能に係わるパラメータとしては、リングネットワークを構成するＮＯＤＥの数、各ＮＯＤＥに固有のノードＩＤ、高速側サービストラフィックのタイムスロット数、高速側エキストラトラフィックのタイムスロット数、およびＮＯＤＥの接続関係（Ring Topology Map）などが有る。
【０１３１】
図６７のウインドウにおいて、Readボタンがクリックされると、接続相手のＮＯＤＥが属するリングネットワークに係わる各パラメータの現在の値が、Terminal５において取得される。取得されたパラメータの値は図６７のウインドウに表示され、各パラメータ項目ごとに数値が入力されたのちSetボタンがクリックされると、入力された値が有効になる。
【０１３２】
図６７でRing Topology Mapボタンがクリックされると、図６８のRing Topology Map Configurationウインドウが開かれる。図６８のウインドウは、リングネットワーク内の各ＮＯＤＥの接続関係を任意に設定するためのウインドウである。図６８のウインドウにおいて、NodeにＡ〜Ｐとして表示されているのは、リング内で隣り合うＮＯＤＥを順番に示すものである。例えば、図３に示されるネットワーク形態で＃０をＡとすると、＃１がＢ、＃２がＣ、…、＃６がＦとなる。各ＮＯＤＥにつき、リングネットワーク内での固有のＩＤと、個々のＮＯＤＥのＩＤとが個別に設定される。
【０１３３】
（Software Information）
図６９に示されるSoftware Informationウインドウにつき説明する。図６９のウインドウは図５に示されるサブメニューにおいてSoftware Informationボタンがクリックされると表示されるウインドウである。このウインドウは、ＮＯＤＥを指定して、そのＮＯＤＥにインストールされているソフトウェアに関する情報を表示するためのウインドウである。このウインドウでNodeボタンがクリックされてＮＯＤＥが選択されると、当該指定されたＮＯＤＥからソフトウェアのバージョン情報とそのインストールされた日付が読み取られる。この読み取られた内容は、ノードの名称と共に図６９のウインドウに表示される。
【０１３４】
＜Ｎｏｄｅ−Ｏｔｈｅｒ＞
次に、Ｎｏｄｅ−Ｏｔｈｅｒ関係の動作について説明する。Ｎｏｄｅ−Ｏｔｈｅｒ関係については、図６に示すように、LS Card Control 、Notification Reporting Control のサブメニューが用意されている。
【０１３５】
（LS Card Control）
図７０に示されるLS Card Controlウインドウにつき説明する。このウインドウは、図３のメイン画面でNode−Otherがクリックされると開かれるサブメニュー（図６に示される）において、LS Card Controlボタンがクリックされると表示される。このウインドウは、ＮＯＤＥを選択し、選択されたＮＯＤＥに実装されたカード（基板）をＵ−ＮＭＥ３における監視対象とするかまたは監視対象から削除するかの設定を行うためのものである。
【０１３６】
すなわち、各ＮＯＤＥ１−１〜１−ｎにあっては、低速側基板（LS Card）を自由に抜き挿しできるようになっている。カードの交換や増設などによってカードの実装の状態が変化したことを、Ｕ−ＮＭＥ３において逐一把握しておくことが、システムを運用する上で必要である。図７０のウインドウでは、ＮＯＤＥから取り外されたことにより実装されなくなった基板を、Ｕ−ＮＭＥ３による監視の対象から削除するための設定を行う。
【０１３７】
図７０においてNodeボタンがクリックされると、操作対象とすべきＮＯＤＥを選択するためのウインドウが開かれる。このウインドウで任意のＮＯＤＥが選択されたのち、Select Shelfボタンで低速側シェルフが選択される。Select Cardボタンがクリックされると図７１のCard Selectionウインドウを開き、このウインドウで当該シェルフ内の低速カードが選択される。図７１のウインドウにおいては、LS Card Type欄においてLeftまたはRightを指定できるようになっており、シェルフ内の実装位置も含めて選択できるようになっている。
【０１３８】
上記のようにして任意の基板が選択され、Action欄でLS Card Deletion（対象基板の削除）またはLS Card Type Setting（基板種別の変更）のいずれかが選択される。そしてExecボタンがクリックされると、設定した内容が対象ＮＯＤＥにメッセージとして通知され、セットされる。
【０１３９】
このようにすることで、以下に示すような効果を得ることができる。仮に、いずれかのＮＯＤＥにおいて、４枚のSTM-1基板に代えて、同等の処理能力を持つ１枚のSTM-4基板１枚が挿し換えられたとする。そうすると、もともとSTM-1基板が挿入されていたスロットのうち３つが空きとなり、スロットに基板が実装されていない旨の警報が検出される。STM-4基板が挿入されたスロットにおいても、誤った基板が実装された旨を示す警報が検出される。この状態が放置されると、これらの警報がＵ−ＮＭＥ３に通知される状態がいつまでも続くことになり、システム運用に支障をきたす。
【０１４０】
そこで、上記のようにＮＯＤＥにメッセージを与え、基板および基板の抜かれたスロットを監視対象外とし、基板種別を変更することで上記のような問題を回避することが可能となる。
【０１４１】
（Notification Reporting Control）
図７２に示されるNotification Reporting Controlウインドウにつき説明する。このウインドウは、図６に示されるサブメニューからNotification Reporting Controlボタンがクリックされると開かれるもので、任意のＮＯＤＥに対して、その通知情報を通知する宛先をTerminal５側から設定するためのウインドウである。すなわち、図７２に示されるウインドウは、Terminal５側から各ノードのＥＦＤ（Event Forwarding Discriminator）の書き替えを、手動で行うためのウインドウである。
【０１４２】
図７２のNode/Notificationボタンがクリックされると図７３のNode/Notification Selectionウインドウが開かれる。図７３のウインドウにおいて、対象とするＮＯＤＥが選択され、Notificationの欄で、ＥＦＤの書き替え対象とする通知情報の種別（例えばAlarmなど））が選択される。
【０１４３】
図７３のウインドウにおいてReadボタンがクリックされると現在の設定内容が読み出され、読み出された値が図７２に表示される。図７２のDestinationsの欄には、選択されたノードが、現時点で通知情報の宛先としているＵ−ＮＭＥ３の名称が表示される。この欄で任意のＵ−ＮＭＥ３が選択され、下のNotification Reportingの欄でAllow（許可）またはInhibit（不許可）のいずれかが指定される。
【０１４４】
このようにして、個々のＵ−ＮＭＥ３につき、通知情報を通知するか否かが個別に設定される。Setボタンがクリックされると、操作対象であるＮＯＤＥに設定内容を通知するメッセージが送られる。このメッセージを受けたＮＯＤＥは、設定内容に従って動作する。
【０１４５】
このようにすると、次のような効果を得られる。仮に、いずれかのＵ−ＮＭＥ３が故障した場合、この故障したＵ−ＮＭＥ３に対して通知情報を通知することは、システムの運用面での不都合を招く。通知された通知情報が、故障したＵ−ＮＭＥ３において失われてしまうからである。そこで、上記のようにしてＥＦＤを書き替えることで、重要なデータが失われるなどの不都合を回避できるようになる。また、通知情報をＵ−ＮＭＥ３に上げる際のトラフィックは比較的大きな帯域を占める。そこで、上記の機能を用いて、必要最小限のＵ−ＮＭＥ３にのみ通知情報を通知するように設定することにより、通知情報を必要最小限のトラフィックで通知できるようになり、その結果、ネットワーク負荷の軽減を図れる。
【０１４６】
＜Ｄｉｓｐｌａｙ＞
次に、Ｄｉｓｐｌａｙ関係の動作について説明する。Ｄｉｓｐｌａｙ関係については、図６に示すように、Display Control、Terminal Configurationのサブメニューが用意されている。
【０１４７】
（Display Control）
図７４に示されるDisplay Controlウインドウにつき説明する。このウインドウは、図３のメイン画面でDisplayがクリックされると開かれるサブメニュー（図６に示される）から、Display Controlがクリックされると開かれる。このウインドウにおいては、警報レベルを示すCritical、Major、Minor、Warning、Clear、Other Notifications、Maintenance、なる項目にそれぞれクリッカブルなColorボタンが設けられている。Colorボタンを挟んで左側の四角［□］には、各警報レベルの現在の表示色が表示され、右側の四角□には新たに設定された表示色が示される。図に表示してはいないが、それぞれの四角には色が付いている。
【０１４８】
図７４のウインドウにおいてColorボタンがクリックされると、図７５のColor Selectionウインドウに示されるカラーパレットが表示される。このパレットを用いて、各警報レベルに付き任意の色が選択される。図７４のウインドウで設定された表示色は、例えば図３の主画面における障害局舎、障害回線の色分けなどに適用される。要するに、ここで設定された表示色は、上記説明したネットワーク内の障害状態をグラフィカルに表示するウインドウにおける色分けに、全て反映される。
【０１４９】
図７４のウインドウには、Date Typeなる項目が表示されている。この項目では、Order欄でTime DateまたはDate Timeのいずれかが指定される。ここでの指定に応じて、各種データがウインドウ中に表示される際の日時が、（時間、日付）または（日付、時間）のいずれかの順序で表示される。Typeの欄ではMM- DD-YYYY（月／日／年）などとして、日付の表示方式が設定される。
【０１５０】
図７４のウインドウにおけるSorting欄では、データの表示順序が設定される。すなわち、任意のウインドウに表示されるデータを、最新のものから順に表示するか（Latest）、旧いものから順に表示するか（Earliest）のいずれかが選択される。
【０１５１】
（Terminal Configuration）
図７６に示されるTerminal Configurationウインドウにつき説明する。このウインドウは、図６に示されるサブメニューからTerminal Configurationがクリックされたときに表示される。図７６のウインドウは、Terminal５にリモート局（接続相手先でないＮＯＤＥ）の情報を予め手操作で入力するためのウインドウである。
【０１５２】
すなわち、以上説明した種々の機能の実行の際に、リモート局ＮＯＤＥの情報を、Terminal５が通信回線を介して読み取りに行くことがある。その際、ダウンロードするデータ量が多く、読み込みに時間がかかることが多い。そこで、図７６のウインドウを用いて予め情報を与えて記憶させておくことで、データ取得にかかる時間を短縮するようにする。
【０１５３】
図７６のウインドウのRing Network Configurationでは、Number of Ring Node欄で一つのリングネットワークを構成するＮＯＤＥの数が設定される。下の矢印ボタンでは、ＮＯＤＥ Ａ〜Ｆで形成されるリングを右または左に回転させ、例えばローカルノード（Terminal５の接続された相手先ＮＯＤＥ）を一番上に表示するなどの設定が行われる。
【０１５４】
Node Configurationでは、Ring Network Configurationに示される各ＮＯＤＥにつき、１，２，３の各項目が数字で設定され、各ＮＯＤＥの構成情報が設定される。
【０１５５】
以上説明したように本実施形態によれば、ヒューマンマシンインタフェースを改善することができ、運用上の便宜の向上を図った監視制御装置を提供することが可能となる。
【０１５６】
なお、本発明は上記実施の形態に限定されるものではない。
例えば上記実施形態においてはTerminal５における機能につき説明したが、ＳＳＥ２についてもその役割分担の範囲内で同様の機能を持たせることができる。
また上記実施形態では各局舎に一つずつＵ−ＮＭＥ３を設置するようにしたが、システム構成によっては一つのＵ−ＮＭＥ３でネットワーク全体を監視制御するようにしても良いし、または任意の局舎にＵ−ＮＭＥ３を設置するようにしても良い。
また、上記各ウインドウおよび機能ボタンの名称、各ウインドウにおける表示オブジェクトの配置、機能ボタンの位置などは上記実施形態に限るものではない。
その他、本発明の要旨を逸脱しない範囲で種々の変形実施を行うことができる。
【０１５７】
【発明の効果】
以上説明したように本発明によれば、ヒューマンマシンインタフェースを改善し、運用上の便宜の向上を図り得る通信パス設定方法を提供することが可能となる。
【図面の簡単な説明】
【図１】  本発明に係わる作業者用端末装置（Terminal）が設置される伝送システムの構成を示すシステム図。
【図２】  本発明に係わる作業者用端末装置（Terminal）５の構成を示すブロック図。
【図３】  Terminal５のディスプレイの主画面を示す図。
【図４】  図３においてサブメニューの表示される様子を示す図。
【図５】  図３においてサブメニューの表示される様子を示す図。
【図６】  図３においてサブメニューの表示される様子を示す図。
【図７】  Node Alarm Summary Displayウインドウを示す図。
【図８】  Shelf Alarm Summary Displayウインドウを示す図。
【図９】  Shelf Alarm Summary Displayウインドウを示す図。
【図１０】  Notification Displayウインドウを示す図。
【図１１】  Alarm Cut Offウインドウを示す図。
【図１２】  Item Selection（Row）ウインドウを示す図。
【図１３】  Item Selection（Column）ウインドウを示す図。
【図１４】  Notification Display Window Controlウインドウを示す図。
【図１５】  ＣＡＵＴＩＯＮウインドウの一例を示す図。
【図１６】  Notification Detailed Displayウインドウを示す図。
【図１７】  Notification Detailed Displayウインドウを示す図。
【図１８】  Notification Detailed Displayウインドウを示す図。
【図１９】  Alarm Severity Controlウインドウを示す図。
【図２０】  Node/Category/Probable Cause Selectionウインドウを示す図。
【図２１】  Node Selectionウインドウを示す図。
【図２２】  Maintenance Controlウインドウを示す図。
【図２３】  Maintenance Signal Insertion Controlウインドウを示す図。
【図２４】  Selectionウインドウを示す図。
【図２５】  Maintenance Signal Insertion Settingウインドウを示す図。
【図２６】  SD Threshold Controlウインドウを示す図。
【図２７】  SD Threshold Settingウインドウを示す図。
【図２８】  NODE Log Controlウインドウを示す図。
【図２９】  ＣＡＵＴＩＯＮウインドウの一例を示す図。
【図３０】  NODE Record Retrievalウインドウを示す図。
【図３１】  Alarm Record Retrieval Reportウインドウを示す図。
【図３２】  Protection Record Retrieval Reportウインドウを示す図。
【図３３】  Terminal Access Record Retrievalウインドウを示す図。
【図３４】  Terminal Access Record Retrieval Reportウインドウを示す図。
【図３５】  Performance Data Record Retrievalウインドウを示す図。
【図３６】  Performance Data Record Retrieval Reportウインドウを示す図。
【図３７】  Quality of Service Alarm Controlウインドウを示す図。
【図３８】  NODE Selectionウインドウを示す図。
【図３９】  Path Configuration Controlウインドウを示す図。
【図４０】  Read Pathウインドウを示す図。
【図４１】  Node Informationウインドウを示す図。
【図４２】  Initialize Path Displayウインドウを示す図。
【図４３】  Path Updateウインドウを示す図。
【図４４】  Invalid Pathウインドウを示す図。
【図４５】  Path Configuration Controlウインドウを示す図。
【図４６】  Ring Map Administrative Controlウインドウを示す図。
【図４７】  Node Conditionウインドウを示す図。
【図４８】  LS Group Type Controlウインドウを示す図。
【図４９】  NODE/LS Shelf Selectionウインドウを示す図。
【図５０】  APS Controlウインドウを示す図。
【図５１】  Node/Channel Selectionウインドウを示す図。
【図５２】  Protection Switching Controlウインドウを示す図。
【図５３】  Node/Section Selectionウインドウを示す図。
【図５４】  APS Exerciser Controlウインドウを示す図。
【図５５】  NODE Timing mode Controlウインドウを示す図。
【図５６】  User Controlウインドウを示す図。
【図５７】  Add Userウインドウを示す図。
【図５８】  Change Access Levelウインドウを示す図。
【図５９】  Change Passwordウインドウを示す図。
【図６０】  Change Valid Dateウインドウを示す図。
【図６１】  Machine-Machine Securityウインドウを示す図。
【図６２】  Add Managerウインドウを示す図。
【図６３】  Change Manager Levelウインドウを示す図。
【図６４】  Auto Logout Time Settingウインドウを示す図。
【図６５】  Delete Managerウインドウを示す図。
【図６６】  System Time Settingウインドウを示す図。
【図６７】  Ring APS Controlウインドウを示す図。
【図６８】  Ring Topology Map Configurationウインドウを示す図。
【図６９】  Software Informationウインドウを示す図。
【図７０】  LS Card Controlウインドウを示す図。
【図７１】  Card Selectionウインドウを示す図。
【図７２】  Notification Reporting Controlウインドウを示す図。
【図７３】  Node/Notification Selectionウインドウを示す図。
【図７４】  Display Controlウインドウを示す図。
【図７５】  Color Selectionウインドウを示す図。
【図７６】  Terminal Configurationウインドウを示す図。
【符号の説明】
ＳＴ−１〜ＳＴ−ｍ…局舎
１−１〜１−ｎ…ノード（ＮＯＤＥ）
ＳＴ…局舎
ＯＬ…高速回線
ＦＬ…波長多重回線
ＭＬ…監視制御用回線
２…局舎内監視制御装置（ＳＳＥ）
３…監視制御装置（ＮＭＥ）
４…ルータ
５…作業者用端末装置
３１…メモリモジュール
３２…プロセッサモジュール
３３…ブリッジ
３４…ＳＣＳＩコントローラ
３５…ＨＤ（ハードディスクドライブ）
３７…グラフィックコントローラ
３８…インタフェースコントローラ
３９…バスコントローラ
３１０…ＦＤＤ（フロッピーディスクドライブ）
３１１…インタフェース
３１２…ディスプレイインタフェース
３１３…外部インタフェース
３１５…ディスプレイ
３１９…入力装置
３２０…サウンドコントローラ
３２１…ブザーインタフェース
３２２…ブザー
【図１】
0003641247.tif 000002
【図２】
0003641247.tif 000003
【図３】
0003641247.tif 000004
【図４】
0003641247.tif 000005
【図５】
0003641247.tif 000006
【図６】
0003641247.tif 000007
【図７】
0003641247.tif 000008
【図８】
0003641247.tif 000009
【図９】
0003641247.tif 000010
【図１０】
0003641247.tif 000011
【図１１】
0003641247.tif 000012
【図１２】
0003641247.tif 000013
【図１３】
0003641247.tif 000014
【図１４】
0003641247.tif 000015
【図１５】
0003641247.tif 000016
【図１６】
0003641247.tif 000017
【図１７】
0003641247.tif 000018
【図１８】
0003641247.tif 000019
【図１９】
0003641247.tif 000020
【図２０】
0003641247.tif 000021
【図２１】
0003641247.tif 000022
【図２２】
0003641247.tif 000023
【図２３】
0003641247.tif 000024
【図２４】
0003641247.tif 000025
【図２５】
0003641247.tif 000026
【図２６】
0003641247.tif 000027
【図２７】
0003641247.tif 000028
【図２８】
0003641247.tif 000029
【図２９】
0003641247.tif 000030
【図３０】
0003641247.tif 000031
【図３１】
0003641247.tif 000032
【図３２】
0003641247.tif 000033
【図３３】
0003641247.tif 000034
【図３４】
0003641247.tif 000035
【図３５】
0003641247.tif 000036
【図３６】
0003641247.tif 000037
【図３７】
0003641247.tif 000038
【図３８】
0003641247.tif 000039
【図３９】
0003641247.tif 000040
【図４０】
0003641247.tif 000041
【図４１】
0003641247.tif 000042
【図４２】
0003641247.tif 000043
【図４３】
0003641247.tif 000044
【図４４】
0003641247.tif 000045
【図４５】
0003641247.tif 000046
【図４６】
0003641247.tif 000047
【図４７】
0003641247.tif 000048
【図４８】
0003641247.tif 000049
【図４９】
0003641247.tif 000050
【図５０】
0003641247.tif 000051
【図５１】
0003641247.tif 000052
【図５２】
0003641247.tif 000053
【図５３】
0003641247.tif 000054
【図５４】
0003641247.tif 000055
【図５５】
0003641247.tif 000056
【図５６】
0003641247.tif 000057
【図５７】
0003641247.tif 000058
【図５８】
0003641247.tif 000059
【図５９】
0003641247.tif 000060
【図６０】
0003641247.tif 000061
【図６１】
0003641247.tif 000062
【図６２】
0003641247.tif 000063
【図６３】
0003641247.tif 000064
【図６４】
0003641247.tif 000065
【図６５】
0003641247.tif 000066
【図６６】
0003641247.tif 000067
【図６７】
0003641247.tif 000068
【図６８】
0003641247.tif 000069
【図６９】
0003641247.tif 000070
【図７０】
0003641247.tif 000071
【図７１】
0003641247.tif 000072
【図７２】
0003641247.tif 000073
【図７３】
0003641247.tif 000074
【図７４】
0003641247.tif 000075
【図７５】
0003641247.tif 000076
【図７６】
0003641247.tif 000077